(57)【要約】【課題】  メインディスプレイとは別にサブディスプレイを設け、アラームやメインディスプレイの表示によっては確認できない場合であっても、起動したい任意のアプリケーションを起動する。【解決手段】  本発明は、メインディスプレイ（１２ａ）と、前記メインディスプレイとは別に設けられたサブディスプレイ（１４）と、ユーザに知らせるべき情報を検出する検出手段と、前記検出手段によって、ユーザに知らせるべき情報が検出された場合に、前記サブディスプレイに、ユーザに知らせるべき情報を示すメッセージを表示させる表示制御手段とを具備する携帯型情報機器である。【選択図】      図１
2004240995.tif 000002
【特許請求の範囲】
【請求項１】
筐体と、
前記筐体に対して開閉可能なメインディスプレイと、
前記筐体に設けられ、前記メインディスプレイの開閉状態にかかわらず露出されるサブディスプレイと、
所定の機能を選択する手段と、
前記選択された所定の機能に関する情報を前記サブディスプレイに表示する表示制御手段と
を具備することを特徴とする情報機器。
【請求項２】
前記表示制御手段による表示は、パワーオフ状態、スリープ状態及びメインディスプレイオフ状態において行なわれることを特徴とする請求項１記載の情報機器。
【請求項３】
前記アプリケーションの数をカスタマイズするためのカスタマイズ手段をさらに具備し、
前記表示制御手段は、前記カスタマイズ手段によってカスタマイズされたアプリケーションを表示することを特徴とする請求項１記載の情報機器。
【請求項４】
前記表示制御手段は、ジョグ装置によって前記サブディスプレイ上に表示されたアプリケーションが起動された場合に、起動されるアプリケーション名とは別の情報を前記サブディスプレイ上に表示することを特徴とする請求項１記載の情報機器。
【請求項５】
前記選択手段はＣＤ再生機能を選択し、前記表示制御手段はＣＤに関する情報を表示することを特徴とする請求項１記載の情報機器。
【発明の詳細な説明】
【技術分野】
【０００１】
本発明は、情報機器に関し、特に、メインディスプレイとは別にサブディスプレイを有するノート型パーソナルコンピュータに関する。
【背景技術】
【０００２】
従来、ノート型パーソナルコンピュータにおいて、ローバッテリなどのハードウェアに関する警告、プログラムの異常発生及び割り込みメッセージなどを知らせる手段は、アラームにて警告するか、又は、ノート型パーソナルコンピュータのディスプレイ上に表示していた。
【０００３】
また、従来のノート型パーソナルコンピュータにおいて、ジョグ装置から複数のアプリケーションを選択し、起動するものは存在するが、この際、起動するアプリケーション名をノート型パーソナルコンピュータのディスプレイ（メインディスプレイ）上に表示していた。
【発明の開示】
【発明が解決しようとする課題】
【０００４】
しかしながら、上述のノート型パーソナルコンピュータにおいては、アラームが鳴るとき回りに誰もいなかった場合や、ノート型パーソナルコンピュータのディスプレイがオフ状態にある場合及びディスプレイパネルを閉じている場合においては、ユーザがその旨を確認することができないという問題があった。
【０００５】
また、ジョグ装置によって起動するアプリケーションを選択するノート型パーソナルコンピュータにおいては、起動するアプリケーションをノート型パーソナルコンピュータのディスプレイに表示しているため、ノート型パーソナルコンピュータがパワーオフの状態、スリープ状態及びディスプレイがオフ状態の場合に、起動対象となるアプリケーションを選択することができないという問題があった。
【０００６】
なお、従来より、パワーオフ状態、スリープ状態からアプリケーションを起動するためのボタンを有する従来のノート型パーソナルコンピュータが存在するが、起動する１つのアプリケーションについて１つのボタンが割り当てられていたために、起動したいアプリケーションの数だけボタンを必要としていた。
【０００７】
本発明は、上記実情に鑑みてなされたものであり、メインディスプレイとは別にサブディプレイを設け、起動したい任意の機能を起動することができる情報機器を提供することを目的とする。
【課題を解決するための手段】
【０００８】
したがって、上記目的を達成するために、本発明は、筐体と、前記筐体に対して開閉可能なメインディスプレイと、前記筐体に設けられ、前記メインディスプレイの開閉状態にかかわらず露出されるサブディスプレイと、所定の機能を選択する手段と、前記選択された所定の機能に関する情報を前記サブディスプレイに表示する表示制御手段とを具備することを特徴とする情報機器、である。
【発明の効果】
【０００９】
本発明によれば、メインディスプレイとは別にサブディプレイを設け、起動したい任意の機能を起動することができる情報機器を提供することができる。
【発明を実施するための最良の形態】
【００１０】
＜第１の実施の形態＞
以下、図面を参照して、本発明の実施の形態に係るノート型パーソナルコンピュータについて説明する。
【００１１】
まず、図１及び図２を参照して、本発明の一実施の形態に係るノート型パーソナルコンピュータの基本構造について説明する。
【００１２】
図１はディスプレイユニットを開いた状態におけるコンピュータの正面図、図２はディスプレイユニットを閉じた状態におけるコンピュータの正面図である。
【００１３】
本コンピュータは、コンピュータ本体１１と、ディスプレイユニット１２とから構成されている。
【００１４】
ディスプレイユニット１２には、ＬＣＤからなるディスプレイスクリーン１２ａが組み込まれている。ディスプレイユニット１２は、コンピュータ本体１１に対して解放位置と閉塞位置との間を回動自在に取り付けられている。
【００１５】
コンピュータ本体１１は薄い箱形の筐体を有しており、その上面にはキーボードおよびポインティングスティックなどが配置されている。
【００１６】
コンピュータ本体１１の上面には、操作ボタン１３、サブディスプレイ（サブＬＣＤ）１４、ジョグ装置１５及びボリュームコントロール装置１６が設けられている。
【００１７】
これら操作ボタン１３、サブディスプレイ（サブＬＣＤ）１４、ジョグ装置１５及びボリュームコントロール装置１６は、図２に示すように、ディスプレイパネル１２を閉じた状態においても外部に露出されるように配置されている。
【００１８】
この実施の形態では、ディスプレイパネル１２下部の左右両ヒンジ間に切り欠きが設けられており、これによってディスプレイパネル１２を閉じた状態においてもコンピュータ本体１１上面上の奥手（後部）側の領域が外部に露出するように構成されている。
【００１９】
図３は、サブディスプレイ１４、ジョグ装置１５及びボリュームコントロール装置１６を示す図である。
【００２０】
同図において、サブディスプレイ１４には、ＡＣ電源の供給状態、システムのオン・オフ状態、ハードディスクのアクセス状態、ノート型パーソナルコンピュータのバッテリの状態及びミュート状態などの情報が示されるとともに、テキスト表示部１４ａが設けられている。このテキスト表示部１４ａは、後に述べるように、ユーザに知らせるべき種々の情報が表示される。
【００２１】
図５は、ジョグ装置１５の動作とイベントの関係を説明するための図である。なお、ここでは、ジョグスイッチ１５の突起１５ａを下側に倒した場合の下イベントについて説明するが、突起１５ａを上側に倒した場合には、上イベントが発生する。
【００２２】
同図に示すように、ジョグスイッチ１５を下（上）側に倒した場合には、下（上）イベントが発生する。そして、ジョグスイッチ１５を下（上）側に倒した状態が所定時間、例えば、１秒間継続した場合には、下（上）継続イベントが発生する。
【００２３】
一方、下（上）イベントが発生した後、すぐに、手を離してジョグスイッチ１５が中立の状態に戻った場合には、復帰イベントが発生する。同様に、下（上）継続イベントが発生した後、中立の状態に戻った場合にも、復帰イベントが発生する。
【００２４】
また、ジョグ装置１５は、押下することも可能であり、この場合には、押下イベントが発生する。これらジョグ装置１５からの種々のイベントは、ＢＩＯＳプログラムによって検出され、アプリケーションプログラムに渡される。
【００２５】
ボリュームコントロール装置１６は、ノート型パーソナルコンピュータから出力される音声のボリュームをコントロールするものである。
【００２６】
図４は、操作ボタン１３の詳細を示す図である。図４に示すように、操作ボタン１３は、巻き戻しボタン１３ａ、再生／一時停止ボタン１３ｂ、停止ボタン１３ｃ及び早送りボタン１３ｄを有している。
【００２７】
巻き戻しボタン１３ａは再生中の曲を１つ前の曲に巻き戻すためのものであり、再生／一時停止ボタン１３ｂは曲の再生及び再生中にボタンが押された場合に曲の再生の一時停止を行なうものであり、停止ボタン１３ｃは曲の再生中に押された場合に曲の停止を行なうためのものであり、早送りボタン１３ｄは再生中の曲を１つ先の曲に早送りするためのものである。
【００２８】
操作ボタン１３は、操作対象を操作するためのものであって、操作対象はプログラムによって切り替えられる。例えば、操作対象がＣＤ／ＤＶＤメディアである場合もあり、デジタルオーディオメディアである場合もある。
【００２９】
また、操作ボタン１３は、図４に示したものに限られず、例えば、ＷＥＢの更新ボタンなどであってもよい。すなわち、操作ボタン１３は、操作の対象（アプリケーションプログラム）を操作するものである。
【００３０】
コンピュータ本体１１の右側面には、図示せぬディスクドライブが設けられている。このディスクドライブには、オーディオデータが記録されたＣＤ−ＲＯＭ、ＤＶＤ−ＲＯＭ、オーディオ及びビデオデータが記録されたＣＤ−ＲＯＭ、ＤＶＤ−ＲＯＭ等のディスクメディアなどが再生対象として装着される。
【００３１】
図６は、本実施の形態に係るノート型パーソナルコンピュータの概略構成を示す図である。
【００３２】
同図に示すように、バス２０には、ＣＰＵ２１、ＢＩＯＳ  ＲＯＭ２２、メインメモリ２３、ディスプレイコントローラ２４、キーボードコントローラ２７、ＣＤ／ＤＶＤプレイヤー、ＨＤＤ２９、バッテリ３０及び電源部３１が接続されている。
【００３３】
同図において、ＣＰＵ２１はシステム全体の制御を司るものであって、メインメモリ２３に格納されたプログラムの実行を行なう。
【００３４】
ＢＩＯＳ（Ｂａｓｉｃ  Ｉｎｐｕｔ／Ｏｕｔｐｕｔ  Ｓｙｓｔｅｍ）  ＲＯＭ２２は、ジョグ装置１５から発生するイベント検出するなどの役割をもつＢＩＯＳプログラムを格納する。
【００３５】
メインメモリ２３は、この実施の形態において説明するフローチャートの処理を実現するためのプログラムなどを格納する。メインメモリ４２は、図８に示すように、ＯＳ（Ｏｐｅｒａｔｉｎｇ  Ｓｙｓｔｅｍ）２３ａ、サブディスプレイ１４の表示制御を司るための制御プログラム２３ｂ及びアプリケーションプログラム２３ｃが格納されている。
【００３６】
ディスプレイコントローラ２４は、メインディスプレイ２５及びサブディスプレイ２６の表示制御を行なうものである。
【００３７】
メインディスプレイ２５は、ノート型パーソナルコンピュータのメインとなるディスプレイであり、図１に示したディスプレイスクリーン１２ａに相当する。
【００３８】
サブディスプレイ２６は、メインディスプレイ２５とは別に設けられ、図１に示したサブディスプレイ１４に相当する。
【００３９】
キーボードコントローラ（２７）は、操作ボタン１３、キーボード２７ａ及びジョグ装置１５の制御を行なうためのものである。
【００４０】
CD/DVDプレイヤー２８は、ＣＤ／ＤＶＤメディアを再生するものである。
【００４１】
ＨＤＤ２９は、メインメモリ２３に展開されるアプリケーションプログラムなどを格納するためのものである。
【００４２】
バッテリ３０は、電源部３１から電源が供給されていない場合に、ノート型パーソナルコンピュータの各要素に電源を供給するものである。なお、このバッテリ３０及び電源３１からの電力は、ノート型パーソナルコンピュータの電源がオフ状態、スリープ状態にある場合であっても、サブディスプレイ２６の表示制御を司る要素には供給され、サブディスプレイ２６の表示制御は維持される。
【００４３】
図７は、本実施の形態のノート型パーソナルコンピュータの機能ブロック図である。
【００４４】
同図に示すように、本実施の形態のノート型パーソナルコンピュータは、システム異常検出部４１、イベント検出部４２、メッセージ設定部４３及び表示制御部４４を有している。
【００４５】
システム異常検出部４１は、システムの異常を検出するためものである。具体的には、バッテリ３０のローバッテリ状態、システムの温度異常及びノート型パーソナルコンピュータ上で動作するアプリケーションプログラムの異常などを検出する。これらの異常検出方法自体は、公知の技術であるので、ここでは詳しい説明を省略するが、例えば、ローバッテリ状態を検出する場合には、バッテリ３０の残存量が所定量以下になったことを検出すればよい。また、アプリケーションプログラムの異常は、ＯＳによって検出される。
【００４６】
イベント検出部４２は、操作ボタン１３、ジョグ装置１５及びキーボード２７からのイベントを検出する。
【００４７】
メッセージ設定部４３は、サブディスプレイ１４の表示態様を設定するためのものである。
【００４８】
表示制御部４４は、システム異常検出部４１からの検出結果、イベント検出部４２からのイベント及びメッセージ設定部４３によって設定された表示態様に基づいて、表示制御処理を行ない、サブディスプレイ１４に表示を行なわせるものである。
【００４９】
次に、本実施の形態に係るノート型パーソナルコンピュータの動作について、図９のフローチャートを参照して説明する。
【００５０】
なお、本実施の形態の動作は、システムがオン状態の場合は勿論、システムがオフ状態、スリープ状態の場合であっても、バッテリ３０或いは電源部３１からの電源の供給によって行なわれる。
【００５１】
図９に示すように、まず、システム異常検出部４１によって、システムの異常が検出されたか否かの判断が行なわれる（Ｓ１）。ここで、システムの異常とは、上述のように、例えば、バッテリ３０のローバッテリ状態、システムの温度異常及びアプリケーションプログラムの異常などである。
【００５２】
Ｓ１において、システムの異常が検出された場合には、サブディスプレイ１４の表示状態を記憶する（Ｓ２）。このサブディスプレイの表示状態は、ＨＤＤにしてもよいし、図示せぬ不揮発性メモリにしてもよい。
【００５３】
次に、サブディスプレイ１４に警告メッセージが表示される。この警告メッセージは、後に述べるサブディスプレイの設定画面において設定されるメッセージの内容が反映される。例えば、ローバッテリ状態が検出された場合には、サブディスプレイ１４に「ローバッテリです」とのメッセージが表示される。
【００５４】
また、サブディスプレイ１４の表示態様は、後述するサブディスプレイ１４の設定画面において設定される値、例えば、バックライト色、点滅表示などの値が反映される。
【００５５】
次に、Ｓ４において、ジョグ装置１５が操作されたか否かの判断が行なわれる。そして、Ｓ４において、ジョグ装置１５が操作されたと判断された場合には、Ｓ２において記憶されたサブディスプレイ１４の表示状態を読み出し、サブディスプレイ１４の表示状態を再現する（Ｓ５）。
【００５６】
一方、Ｓ４において、ジョグ装置１５が操作されていないと判断された場合には、警告メッセージを表示した後に、所定時間経過したか否かの判断が行なわれる（Ｓ６）。Ｓ６において、所定時間経過していないと判断された場合には、Ｓ４の処理に移り、所定時間経過したと判断された場合にはＳ５の処理に移る。なお、この時間も、後述するサブディスプレイのプロパティ設定画面において設定される。
【００５７】
次に、サブディスプレイ１４の表示態様を設定する方法について、図１１のフローチャートを参照して説明する。
【００５８】
ユーザからサブディスプレイのプロパティ設定要求があると、図１０に示すようなサブディスプレイプロパティ設定画面が表示される（Ｓ１１）。このサブディスプレイ設定画面において、ユーザは、各項目、すなわち、設定項目（ローバッテリ状態、アプリケーションプログラムの異常など）、バックライト色、メッセージの変更、メッセージ解除秒数及びメッセージ内容をそれぞれ設定する。そして、この設定された値は、ＨＤＤ２９に記憶される（Ｓ１２）。
【００５９】
そして、この設定された値が、図９のＳ３におけるサブディスプレイの警告メッセージに反映される。すなわち、図１０に示すようにローバッテリ時のプロパティが設定されると、バックライト色が緑で、メッセージ「ローバッテリだよ」が点滅表示される。そして、メッセージ表示後、ジョグ装置が操作されないで１秒が経過すると、サブディスプレイの表示状態を再現する。
【００６０】
つまり、本実施の形態のノート型パーソナルコンピュータにおいては、設定項目（ローバッテリ状態、アプリケーションプログラムの異常）に応じて、サブディスプレイの表示態様を設定することができる。
【００６１】
図１２は、ローバッテリ表示時の各ソフトウェア間の情報のやりとりの第１の例を説明するための図である。
【００６２】
ＢＩＯＳ５３は、ジョグ装置等５５からのイベントを制御プログラム５１及びＯＳ５２に仲介する。ＯＳ５２は、ローバッテリイベントＤ１を制御プログラム５１に通知する。
【００６３】
制御プログラム５１は、ＯＳ５２からローバッテリイベントＤ１が通知されると、通常表示Ａ１の表示状態をバックアップし、文字表示コマンドＣ１、バックライト色設定コマンドＣ２、バックライト制御コマンドＣ３（点滅指示）を使用して、ローバッテリを知らせるメッセージをサブディスプレイ５４に表示する（メッセージ表示Ａ２）。
【００６４】
ジョグ装置５５が押下されると、表示解除スイッチイベントＣ４が、制御プログラム５１に伝達される。制御プログラム５１は、表示解除スイッチイベントＣ４が伝達されると、記憶していた通常表示Ａ１の状態を復元し、表示する。
【００６５】
図１３は、ローバッテリ表示時の各ソフトウェア間の情報のやりとりを第２の例を説明するための図である。
【００６６】
設定画面６２では、メッセージＦ１、メッセージのバックライト色Ｆ２及びメッセージ解除秒数Ｆ３を予め設定することができる。
【００６７】
プログラム６１は、設定画面６２にで設定したメッセージを表示する際、設定画面６２の設定（メッセージ、バックライト色、メッセージ解除病数）にしたがったメッセージ表示命令Ｄ１を制御プログラム６３に伝達する。制御プログラム６３は、通常表示Ａ１の表示状態をバックアップし、文字表示コマンドＣ１、バックライト色Ｃ２及びバックライト制御コマンドＣ３を使用して、メッセージ表示命令Ｄ１どおりの内容をサブディスプレイ６６に表示する。これをメッセージ表示Ａ２状態とする。
【００６８】
ジョグ装置等６５が押下されると、表示解除スイッチイベントＣ４が制御プログラム６３に伝達される。制御プログラム６３は、表示解除スイッチイベントＣ４を受け取ると、記憶していた通常表示Ａ１状態を復元し表示する。
【００６９】
ジョグ装置等６５が押下されていない場合も、メッセージ解除秒数Ｆ３秒が経過すると、プログラム６１はメッセージ表示解除命令Ｄ２を制御プログラム６３に伝達する。制御プログラム６３は、その旨を受け取ると、記憶していた通常表示Ａ１状態を復元して表示する。
【００７０】
したがって、本実施の形態のノート型パーソナルコンピュータによれば、メインディスプレイがＯＦＦ状態、システムがスリープ状態にある場合などであっても、サブディスプレイにユーザに知らせるべき情報を表示することができる。
【００７１】
また、ローバッテリ状態、プログラムの異常状態など設定項目ごとにサブディスプレイの表示態様を設定することができるので、例えば、バックライト色、メッセージの点滅表示の有無などによって、ユーザが遠目からコンピュータの状態を把握することができる。
【００７２】
＜第２の実施の形態＞
次に、本発明の第２の実施の形態に係るノート型パーソナルコンピュータの動作について説明する。
【００７３】
なお、基本的なハードウェア構成は、図１乃至図４及び図６に示したものと同様なので、ここでは、動作について異なる部分をフローチャートを参照して説明する。
【００７４】
本実施の形態においては、システムの状態及びサブディスプレイのステータス表示を基に、場合わけをして説明する。
【００７５】
＜システムがオフ又はスリープ状態、ステータス表示なしの場合＞
ここで、ステータス表示には、図１６に示すように、「ステータス表示なし」、「新着メール数表示状態」及び「オーナストリング表示状態」がある。
【００７６】
「ステータス表示なし」とは、アプリケーションが起動していないときも、アプリケーションのタイトル名を常時表示するモードである。「新着メール数表示状態」とは、システム稼動中アプリケーションが起動されていないとき、システムオフ、スリープ中において、新着メール数を表示するモードである。また、「オーナストリング表示状態」とは、システム稼動中アプリケーションが起動されていないとき、システムオフ、スリープ中においてユーザが設定した文字列（オーナストリング）を表示するモードである。
【００７７】
＜システムがオフ又はスリープ状態、ステータス表示なしの場合＞
次に、システムがオフ又はスリープ状態、ステータス表示なしの場合の動作について、図１４のフローチャートを参照して説明する。
【００７８】
この場合、通常、サブディスプレイ１４には、アプリケーションのタイトルが表示されている（Ｓ２１）。ここで、サブディスプレイ１４に表示されるアプリケーションのタイトル名は、図１５に示すように、予め登録されているものや、ユーザによって登録されたものもある。
【００７９】
ここでは、タイトル名として、１．ＣＤ／ＤＶＤ  ２．デジタルオーディオ  ３．テレビ  ４．ユーザによって指定されたアプリケーション名  ５．ユーザによって指定されたアプリケーション名  ６．メール  ７．インターネットが登録されているものとする。これらのタイトル名に対応するアプリケーションがジョグ装置１５によって、起動の対象となる。ここでは、図１７に示すように、サブディスプレイ１４にインターネットが表示されている場合を想定する。
【００８０】
次に、ジョグ装置１５が押下されたか否かの判断が行なわれる（Ｓ２２）。Ｓ２２において、ジョグ装置１５が押下されたと判断された場合には、サブディスプレイ１４に表示されているタイトルに対応するアプリケーション、ここでは、インターネットブラウザを起動する（Ｓ２３）。この場合、サブディスプレイ１４のタイトル名の表示の下に「起動中」のメッセージを表示する。図１８は、ジョグ装置が押下される場合を示す図である。
【００８１】
ジョグ装置１５によって、アプリケーションのタイトルが切り替えられていない場合には、ジョグ装置１５は、一発起動装置としての役割を果たすことになる。なお、起動するアプリケーションによっては、この後、操作ボタンによって、図１９に示すようにアプリケーションを操作する。
【００８２】
一方、Ｓ２２において、ジョグ装置が押下されていないと判断された場合には、ジョグ装置が上下操作されたか否かの判断が行なわれる（Ｓ２４）。Ｓ２４において、上下操作されていると判断された場合には、ジョグ装置のイベントに対応して、タイトルの切り替えが行なわれる（Ｓ２５）。図２０は、ジョグ装置を下操作することにより、タイトル名がデジタルオーディオからＴＶに切り替えられた例を示す図である。一方、Ｓ２４において、ジョグ装置が上下操作されていないと判断された場合には、Ｓ２２の処理に移る。
【００８３】
＜システムがオフ又はスリープ状態、ステータスが新着メール又はオーナストリングの場合＞
次に、システムがオフ又はスリープ状態、ステータスが新着メール又はオーナストリングの場合の動作について、図２１のフローチャートを参照して説明する。
【００８４】
この場合、通常、サブディスプレイ１４にはステータス表示（新着メール又はオーナストリング）が行なわれている（Ｓ３１：図２２又は図２３）。
【００８５】
Ｓ３２において、ジョグ装置が操作されているか否かの判断が行なわれ、ジョグ装置が操作されていると判断された場合には、前回表示されていたタイトル（例えば、ＣＤ／ＤＶＤ）を表示する（Ｓ３３）。なお、前回表示されていたタイトル名の表示は、第１の実施の形態において説明したように、サブディスプレイの表示状態を切り替える前に、その表示状態を記憶し、この記憶された表示状態を読み出すことにより行なわれる。
【００８６】
次に、ジョグ装置１５が押下されたか否かの判断が行なわれる（Ｓ３４）。Ｓ３４において、ジョグ装置１５が押下されたと判断された場合には、サブディスプレイ１４に表示されているタイトルに対応するアプリケーションを起動する（Ｓ３５）。この場合、サブディスプレイ１４のタイトル名の表示の下に「起動中」のメッセージを表示する。なお、起動するアプリケーションによっては、この後、操作ボタンによって、図１９に示すようにアプリケーションを操作する。
【００８７】
一方、Ｓ３４において、ジョグ装置が押下されていないと判断された場合には、ジョグ装置が上下操作されたか否かの判断が行なわれる（Ｓ３６）。Ｓ３６において、上下操作されていると判断された場合には、ジョグ装置のイベントに対応して、タイトルの切り替えが行なわれる（Ｓ３７）。
【００８８】
次に、予めユーザによって設定された時間が経過しているか否かの判断が行なわれる（Ｓ３８）。Ｓ３８において、所定時間経過していると判断された場合には、Ｓ３１の処理に移る。一方、Ｓ３８において、所定時間経過していないと判断された場合には、Ｓ３４の処理に移る。
【００８９】
＜システムがオン、ステータス表示なしの場合＞
次に、システムがオン、ステータス表示なしの場合の動作について、図２４のフローチャートを参照して説明する。
【００９０】
この場合、通常、サブディスプレイ１４にはアプリケーションのタイトルが表示されている（Ｓ４１）。
【００９１】
Ｓ４２において、ジョグ装置が上下操作されているか否かの判断が行なわれ（Ｓ４２）、上下操作が行なわれていると判断された場合には、ジョグ装置のイベントに応じてタイトルの切り替えが行なわれる（Ｓ４３）。
【００９２】
次に、Ｓ４４において、ジョグ装置が押下されたか否かの判断が行なわれ（Ｓ４４）、ジョグ装置が押下されていると判断された場合には、選択されたアプリケーションが起動しているか否かの判断が行なわれる（Ｓ４５）。
【００９３】
次に、Ｓ４５において、選択されたアプリケーションが起動されているか否かの判断が行なわれる。Ｓ４５において、選択されたアプリケーションが起動していないと判断された場合には、選択されたアプリケーションを起動する（Ｓ４６）。一方、Ｓ４５において、選択されたアプリケーションが起動していると判断された場合には、選択されたアプリケーションをアクティブにする（Ｓ４７）。この場合、アクティブにされたアプリケーションは、操作ボタンの対象となる。
【００９４】
＜システムがオン、ステータスが新着メール又はオーナストリング＞
次に、システムがオン又はスリープ状態、ステータスが新着メール又はオーナストリングの場合の動作について、図２５のフローチャートを参照して説明する。
【００９５】
この場合、通常、サブディスプレイ１４にはステータス表示（新着メール又はオーナストリング）が行なわれている（Ｓ５１）。
【００９６】
Ｓ５２においてジョグ装置が操作されているか否かの判断が行なわれ（Ｓ５２）。Ｓ５２において、ジョグ装置が操作されたと判断された場合には、Ｓ３３の処理に移る。
【００９７】
＜システムがオン、ステータスが新着メール又はオーナストリング、アプリケーションプログラムを終了＞
次に、システムがオン、ステータスが新着メール又はオーナストリング、アプリケーションを終了する場合について、図２６のフローチャートを参照して説明する。
【００９８】
この場合、通常、サブディスプレイ１４にはアプリケーションのタイトルが表示されている（Ｓ６１）。
【００９９】
次に、Ｓ６２において、アプリケーションが終了したか否かの判断が行なわれる（Ｓ６２）。Ｓ６２において、アプリケーションが終了したと判断された場合には、次に、ユーザによって予め定められた時間が経過したか否かの判断が行なわれる（Ｓ６３）。Ｓ６３において、所定時間経過したと判断された場合には、ステータス表示に戻る（Ｓ６４）。
【０１００】
＜システムがオン、ステータスが新着メール又はオーナストリング、スタートメニューからアプリケーションを起動する場合＞
次に、システムがオン、ステータスが新着メール又はオーナストリング、スタートメニューからアプリケーションを起動する場合について、図２７のフローチャートを参照して説明する。
【０１０１】
この場合、通常、サブディスプレイ１４にはステータス表示（新着メール又はオーナストリング）が行なわれている（Ｓ７１）。
【０１０２】
Ｓ７２において、スタートメニューからアプリケーションが起動されているか否かの判断が行なわれる。Ｓ７２において、スタートメニューからアプリケーションが起動されていると判断された場合には、サブディスプレイ１４に起動されたアプリケーションのタイトル名を表示する（Ｓ７３）。
【０１０３】
以上のアプリケーションの起動、操作をまとめると、図２８に示すような表になる。なお、第２の実施の形態においても、第１の実施の形態と同様に、サブディスプレイの表示態様は、図１０に示すようなサブディスプレイ  プロパティ設定画面において設定され、このサブディスプレイ  プロパティ設定画面において設定された値は、ステータス表示、タイトル名の表示などに反映されるものとする。
【０１０４】
＜変形例＞
次に、上述の実施の形態の変形例について説明する。図２９は、以下に説明する変形例を説明するための図である。
【０１０５】
まず、最初にタイトル表示について説明する。
【０１０６】
＜タイトル表示＞
上述の実施の形態の説明においては、ステータス表示がなしの場合に、アプリケーションのタイトル名を表示する場合について説明したが、ここでは、アプリケーションのタイトル名とともに、図３０に示すように、付加情報（例えば、トラック番号、曲名、作曲者名など）を表示する。
【０１０７】
具体的には、図３４に示すように、付加情報を読み込み（Ｓ７１）、この読み込んだ付加情報をタイトル名と共に表示する（Ｓ７２）。なお、この付加情報は、アプリケーションがＣＤ／ＤＶＤメディア用のものであれば、ＣＤ／ＤＶＤメディアから読み込まれるが、この付加情報の読み込み方法自体は、本発明の要旨ではないので、ここでは、詳しい説明を省略する。
【０１０８】
また、ジョグ装置を操作して、アプリケーションのタイトル名を切り替えても、アプリケーションは付加情報を送りつづけ、この付加情報は、所定の記憶領域（例えば、ＨＤＤ）に記憶される。そして、再び、元のタイトル名に戻ったときは、その付加情報がタイトル名とともに表示される。
【０１０９】
＜ステータス表示が新着メールチェック数の更新、ポップアップ表示の場合＞
次に、ステータス表示が新着メールチェック数の更新の場合の動作について、図３５のフローチャートを参照して説明する。
【０１１０】
新着メールチェックは、決められたスケジュール時間になると、メールサーバをチェックし（Ｓ８１）、新着メール着信数を得る。そして、その結果を、図３１に示すように、表示する（Ｓ８２）。なお、他のタイトル画面を表示中のときであっても、この新着メール数の表示画面は、割り込み処理によって、表示される。
【０１１１】
次に、ジョグ装置が操作されたかいなかの判断が行なわれる（Ｓ８２）。Ｓ８２において、ジョグ装置が操作されたと判断された場合には、アプリケーションのタイトル名が表示される（Ｓ８４）。
【０１１２】
次に、タイトル名に対応するアプリケーションプログラムが終了（或いは、システムがスリープ状態、システムのシャットダウン）したか否かの判断が行なわれ（Ｓ８５）、終了したと判断された場合には、再度、新着メール数の表示（ステータス表示）が行なわれる。
【０１１３】
なお、上述の説明においては、新着メール数をポップアップ表示する場合について説明したが、これに限られるものでない。
【０１１４】
具体的には、アプリケーションプログラムは、自己のタイトルがサブディスプレイに表示されていない場合であっても、割り込み処理により、例えば、図３２に示すようなメッセージを表示することができる。同様に、図３３に示すような、システムメッセージをも表示することができる。
【０１１５】
＜変形例＞
次に、本発明の変形例に係るノート型パーソナルコンピュータの動作について、図３６のフローチャートを参照して説明する。
【０１１６】
なお、図３７は本変形例に係るノート型パーソナルコンピュータの機能ブロック図であり、図７と同一部分には同一符号を付している。同図に示すように、図７に示した機能ブロック図と異なる点は、メインディスプレイ開閉検出部４５を新たに追加したことにある。
【０１１７】
このメインディスプレイ開閉検出部４５は、メインディスプレイの開閉状態を検出するものである。なお、このメインディスプレイの開閉状態を検出する技術自体については、公知の技術であるのでここでは、詳しい説明を省略する。
【０１１８】
図３６のフローチャートに戻ると、まず、システムの異常が検出されたか否かの判断が行なわれる（Ｓ９１）。Ｓ９１において、システムの異常が検出されたと判断された場合には、次に、メインディスプレイが開いているか否かの判断が行なわれる（Ｓ９２）。
【０１１９】
Ｓ９２において、メインディスプレイが開いていないと判断された場合には、図９において説明したＳ２〜Ｓ６の処理が行なわれる（Ｓ９３）。図４０は、システムの異常が未検出の場合において、メインディスプレイがオフ状態、音楽再生用アプリケーションを再生している場合の状態を示す図である。
【０１２０】
また、図４１は、システムの異常が検出された場合において、メインディスプレイがオフ状態の場合を示す図である。この場合、例えば、システム異常として「ローバッテリ」が検出されたとすると、サブディスプレイ１４には、メッセージ「警告  ローバッテリ状態になりました」が横スクロールしながら「音楽再生中」というメッセージに代えて表示される。
【０１２１】
一方、Ｓ９２において、メインディスプレイが開いているとメインディスプレイ開閉検出部４５によって検出された場合には、メインディスプレイに新たなウインドウを開き、警告メッセージを表示する（Ｓ９４）。
【０１２２】
図３８は、システム異常未検出時のメインディスプレイとサブディスプレイとの表示状態を示す図である。なお、ここでは、メインディスプレイには、ワープロ用アプリケーションプログラムのウインドウ７１が開いているものとする。また、図３９は、システム異常（ここでは、ローバッテリ）が検出された場合のメインディスプレイとサブディスプレイとの表示状態を示す図である。
【０１２３】
この場合、同図に示すように、メインディスプレイにはシステム異常警告ウインドウ７２が開かれ、システム異常メッセージが表示される。また、この場合、サブディスプレイ１４の表示状態はそのままである。
【０１２４】
したがって、本変形例に係るノート型パーソナルコンピュータによれば、メインディスプレイが開いている場合には、メインディスプレイに警告メッセージを表示し、メインディスプレイが閉じている場合にはサブディスプレイに警告メッセージを表示するので、ユーザに確実にシステム異常を知らせることができる。
【０１２５】
なお、上述の実施の形態においては、サブディスプレイをノート型パーソナルコンピュータの本体の後方であってディスプレイパネルを閉じた状態においても見える位置に設けたが、サブディスプレイを設ける位置は、ノート型パーソナルコンピュータのフロントエンド又はリヤエンドに設けても良い。
【０１２６】
したがって、本実施の形態のノート型パーソナルコンピュータによれば、メインディスプレイとは別に、サブディスプレイを設け、このサブディスプレイにシステムがスリープ状態、メインディスプレイがオフ状態にある場合であっても、ユーザに知らせるべき情報を種々の態様で表示させることが出来る。
【０１２７】
また、サブディスプレイの表示態様は、カスタマイズすることができるので、例えば、システム異常の場合にはバックライト色を「赤」、メール受信の場合にはバックライト色を「緑」と設定することにより、ユーザが遠目からでもノート型パーソナルコンピュータの状態を把握することが出来る。
【０１２８】
なお、本願発明は、上記各実施形態に限定されるものでなく、実施段階ではその要旨を逸脱しない範囲で種々に変形することが可能である。また、各実施形態は可能な限り適宜組み合わせて実施してもよく、その場合組み合わされた効果が得られる。さらに、上記各実施形態には種々の段階の発明が含まれており、開示される複数の構成要件における適宜な組み合わせにより種々の発明が抽出され得る。例えば実施形態に示される全構成要件から幾つかの構成要件が省略されることで発明が抽出された場合には、その抽出された発明を実施する場合には省略部分が周知慣用技術で適宜補われるものである。
【図面の簡単な説明】
【０１２９】
【図１】ディスプレイユニットを開いた状態におけるコンピュータの正面図。
【図２】ディスプレイユニットを閉じた状態におけるコンピュータの正面図。
【図３】サブディスプレイ、ジョグ装置及びボリュームコントロール装置を示す図。
【図４】操作ボタンの詳細を示す図。
【図５】ジョグ装置の動作とイベントの関係を説明するための図。
【図６】本実施の形態に係るノート型パーソナルコンピュータの概略構成を示す図。
【図７】本実施の形態のノート型パーソナルコンピュータの機能ブロック図。
【図８】メインメモリに格納されるプログラムを示す図。
【図９】本実施の形態に係るノート型パーソナルコンピュータの動作を説明するためのフローチャート。
【図１０】サブディスプレイのプロパティ設定画面を示す図。
【図１１】サブディスプレイの表示態様を設定する方法を説明するためのフローチャート。
【図１２】ローバッテリ表示時の各ソフトウェア間の情報のやりとりの第１の例を説明するための図。
【図１３】ローバッテリ表示時の各ソフトウェア間の情報のやりとりを第２の例を説明するための図。
【図１４】システムがオフ又はスリープ状態、ステータス表示なしの場合の動作を説明するためのフローチャート。
【図１５】サブディスプレイに表示されるアプリケーションのタイトル名を説明するための図。
【図１６】ステータス表示の種類を説明するための図。
【図１７】サブディスプレイにインターネットが表示されている場合を示す図。
【図１８】ジョグ装置が押下される場合を示す図。
【図１９】操作ボタンによって、アプリケーションを操作する場合を示す図である。
【図２０】ジョグ装置を下操作することにより、タイトル名がデジタルオーディオからＴＶに切り替えられた例を示す図。
【図２１】システムがオフ又はスリープ状態、ステータスが新着メール又はオーナストリングの場合の動作を説明するためのフローチャート。
【図２２】サブディスプレイのステータス表示を示す図。
【図２３】サブディスプレイのステータス表示を示す図。
【図２４】システムがオン、ステータス表示なしの場合の動作を説明するためのフローチャート。
【図２５】システムがオン又はスリープ状態、ステータスが新着メール又はオーナストリングの場合の動作を説明するためのフローチャート。
【図２６】システムがオン、ステータスが新着メール又はオーナストリング、アプリケーションを終了する場合の動作を説明するためのフローチャート。
【図２７】システムがオン、ステータスが新着メール又はオーナストリング、スタートメニューからアプリケーションを起動する場合の動作を説明するためのフローチャート。
【図２８】アプリケーションの起動、操作を説明するための図。
【図２９】変形例を説明するための図。
【図３０】サブディスプレイに表示される付加情報を示す図。
【図３１】サブディスプレイに表示されるステータス表示を示す図。
【図３２】アプリケーションの割り込み処理によってサブディスプレイに表示されるメッセージを示す図。
【図３３】アプリケーションの割り込み処理によってサブディスプレイに表示されるシステムメッセージを示す図。
【図３４】付加情報の表示を説明するためのフローチャート。
【図３５】ステータス表示が新着メールチェック数の更新の場合の動作を説明するためのフローチャート。
【図３６】本発明の変形例に係るノート型パーソナルコンピュータの動作について説明するためのフローチャート。
【図３７】本変形例に係るノート型パーソナルコンピュータの機能ブロック図。
【図３８】メインディスプレイが開いた状態におけるシステム異常未検出時のメインディスプレイとサブディスプレイとの表示状態を示す図。
【図３９】メインディスプレイが開いた状態におけるシステム異常検出時のメインディスプレイとサブディスプレイとの表示状態を示す図。
【図４０】メインディスプレイが閉じた状態におけるシステム異常未検出時のメインディスプレイとサブディスプレイとの表示状態を示す図。
【図４１】メインディスプレイが閉じた状態におけるシステム異常検出時のメインディスプレイとサブディスプレイとの表示状態を示す図。
【符号の説明】
【０１３０】
１１…コンピュータ本体、
１２…ディスプレイユニット、
１２ａ…ディスプレイスクリーン、
１３…操作ボタン、
１３ａ…巻き戻しボタン、
１３ｂ…再生／一時停止ボタン、
１３ｃ…停止ボタン、
１３ｄ…早送りボタン、
１４…サブディスプレイ（サブＬＣＤ）、
１４ａ…テキスト表示部、
１５…ジョグ装置、
１５ａ…突起、
１６…ボリュームコントロール装置、
２０…バス、
２１…ＣＰＵ、
２２…ＢＩＯＳ  ＲＯＭ、
２３…メインメモリ、
２３ａ…ＯＳ、
２３ｂ…制御プログラム、
２３ｃ…アプリケーションプログラム、
２４…ディスプレイコントローラ、
２５…メインディスプレイ、
２６…サブディスプレイ、
２７…キーボードコントローラ、
２７ａ…キーボード、
２８…ＣＤ／ＤＶＤプレイヤー、
２９…ＨＤＤ、
３０…バッテリ、
３１…電源部、
４１…システム異常検出部、
４２…イベント検出部、
４３…メッセージ設定部、
４４…表示制御部、
４５…メインディスプレイ開閉検出部、
５１…制御プログラム、
５２…ＯＳ、
５３…ＢＩＯＳ，
５４…サブディスプレイ、
５５…ジョグ装置、
６１…プログラム、
６２…設定画面、
６３…制御プログラム、
６４…ＢＩＯＳ，
６５…ジョグ装置等、
６６…サブディスプレイ、
７１…ワープロ用アプリケーションプログラムウインドウ、
７２…システム異常警告ウインドウ。
【図１】
2004240995.tif 000003
【図２】
2004240995.tif 000004
【図３】
2004240995.tif 000005
【図４】
2004240995.tif 000006
【図５】
2004240995.tif 000007
【図６】
2004240995.tif 000008
【図７】
2004240995.tif 000009
【図８】
2004240995.tif 000010
【図９】
2004240995.tif 000011
【図１０】
2004240995.tif 000012
【図１１】
2004240995.tif 000013
【図１２】
2004240995.tif 000014
【図１３】
2004240995.tif 000015
【図１４】
2004240995.tif 000016
【図１５】
2004240995.tif 000017
【図１６】
2004240995.tif 000018
【図１７】
2004240995.tif 000019
【図１８】
2004240995.tif 000020
【図１９】
2004240995.tif 000021
【図２０】
2004240995.tif 000022
【図２１】
2004240995.tif 000023
【図２２】
2004240995.tif 000024
【図２３】
2004240995.tif 000025
【図２４】
2004240995.tif 000026
【図２５】
2004240995.tif 000027
【図２６】
2004240995.tif 000028
【図２７】
2004240995.tif 000029
【図２８】
2004240995.tif 000030
【図２９】
2004240995.tif 000031
【図３０】
2004240995.tif 000032
【図３１】
2004240995.tif 000033
【図３２】
2004240995.tif 000034
【図３３】
2004240995.tif 000035
【図３４】
2004240995.tif 000036
【図３５】
2004240995.tif 000037
【図３６】
2004240995.tif 000038
【図３７】
2004240995.tif 000039
【図３８】
2004240995.tif 000040
【図３９】
2004240995.tif 000041
【図４０】
2004240995.tif 000042
【図４１】
2004240995.tif 000043